(57)【要約】【課題】コンパクトな構成で効率良くサーバを冷却するとともに液体冷媒によるサーバの破損を安全に回避するサーバラックを提供すること。【解決手段】サーバを載置する棚板１１０と、この棚板１１０を直接的または間接的に支持する複数の支柱１２０と、この支柱間に橋設されて棚板端部１１１と係合するビーム１３０とを備えてサーバを冷媒で冷却するサーバラック１００であって、棚板１１０が、この棚板１１０の延設方向に延びた棚板冷媒流路１１２を内部に有し、冷媒としての液化ガスＲＦが、棚板、支柱およびビームのいずれかに配設された冷媒入口１３２から流入されて棚板冷媒流路内を蒸発しながら送られて棚板、支柱およびビームのいずれかに配設された冷媒出口１３３から排出されるサーバラック１００。【選択図】図１
2016122744.tif 000002
【特許請求の範囲】
【請求項１】
サーバを載置する棚板と、該棚板を直接的または間接的に支持する複数の支柱と、該支柱間に橋設されて棚板端部と係合するビームとを備えてサーバを冷媒で冷却するサーバラックであって、
前記棚板が、該棚板の延設方向に延びた棚板冷媒流路を内部に有し、
前記冷媒としての液化ガスが、前記棚板、支柱およびビームのいずれかに配設された冷媒入口から流入されて前記棚板冷媒流路内を蒸発しながら送られて前記棚板、支柱およびビームのいずれかに配設された冷媒出口から排出されるサーバラック。
【請求項２】
前記冷媒が、液体炭酸ガスである請求項１に記載のサーバラック。
【請求項３】
前記棚板の下面に配設された冷却フィンが、前記棚板と一体に形成されているとともに棚板長手方向に延設されている請求項１または請求項２に記載のサーバラック。
【請求項４】
前記棚板が、前記支柱の延設方向に複数枚間隔を空けて配設され、
前記棚板間に気流を発生させる気流発生ファンが、前記棚板間の上側棚板と係合するビームの下側または前記棚板間の上側棚板の下面における棚板長手方向端部に配設されている請求項１乃至請求項３のいずれか１つに記載のサーバラック。
【請求項５】
前記ビームが、前記棚板冷媒流路と連通するビーム冷媒流路を内部に有し、
前記支柱が、前記ビーム冷媒流路と連通する支柱冷媒流路を内部に有し、
前記冷媒出口の位置が、前記冷媒入口の位置よりも高く配設されている請求項１乃至請求項４のいずれか１つに記載のサーバラック。
【請求項６】
前記棚板の素材が、アルミニウムであり、前記棚板が、押出し加工で形成されている請求項１乃至請求項５のいずれか１つに記載のサーバラック。
【請求項７】
気体冷媒を圧縮する圧縮機と、該圧縮機で圧縮された気体冷媒から熱を放出させて気体冷媒を液化させる凝縮器と、該凝縮器で液化した液体冷媒を減圧するとともに流量制御する膨張弁と、該膨張弁で減圧・流量制御された液体冷媒に熱を吸収させて液体冷媒を気化させる蒸発器とを備えて冷媒でサーバを冷却するサーバ冷却装置であって、
前記蒸発器が、請求項１乃至請求項６のいずれか１つに記載されたサーバラックであるサーバ冷却装置。
【請求項８】
気体冷媒を冷却して液化させるカスケードコンデンサと、該カスケードコンデンサで液化した液体冷媒を貯める受液器と、該受液器の液体冷媒を送り出すポンプと、該ポンプから送り出された液体冷媒を気化させる蒸発器とを備えて冷媒でサーバを冷却するサーバ冷却装置であって、
前記蒸発器が、請求項１乃至請求項６のいずれか１つに記載されたサーバラックであるサーバ冷却装置。
【請求項９】
気体冷媒を冷却して液化させるエバポレーティブコンデンサと、該エバポレーティブコンデンサで液化した液体冷媒を貯める受液器と、該受液器の液体冷媒を送り出すポンプと、該ポンプから送り出された液体冷媒を気化させる蒸発器とを備えて冷媒でサーバを冷却するサーバ冷却装置であって、
前記蒸発器が、請求項１乃至請求項６のいずれか１つに記載されたサーバラックであるサーバ冷却装置。
【発明の詳細な説明】
【技術分野】
【０００１】
本発明は、サーバを冷媒で冷却するサーバラックであって、特に、データセンターのように数多くのサーバを収容して、サーバから発生する大量の熱を冷却して適正な温度条件を守る必要のあるサーバルームに設置されるサーバラックおよびサーバラックを備えたサーバ冷却装置に関する。
【背景技術】
【０００２】
従来、サーバラックとして、サーバルームに設置されるサーバラックが知られている（例えば、特許文献１）。
【先行技術文献】
【特許文献】
【０００３】
【特許文献１】特開２０１４−８９６９５号公報（特に、図５参照）
【特許文献２】特開２０１２−９９６３７号公報（特に、図１参照）
【発明の概要】
【発明が解決しようとする課題】
【０００４】
ところが、上述した従来のサーバラックは、サーバラック自体がサーバを直接冷却するものではなく、サーバルーム冷却装置が、サーバラックから排出される熱い空気を回収・冷却して冷たい空気をサーバルームに供給してサーバルーム全体を冷却する構造であったため、大量の空気を循環させる必要があり、そのための大きなファンやダクトスペースにより大がかりな設備になるという問題や、各サーバの温度にバラツキが生じる虞があった。
そこで、設備をコンパクトにするとともに各サーバの温度バラツキを低減するために、ラック内部にサーバ冷却水の配管機構を備えたサーバラックが知られている（例えば、特許文献２）。
【０００５】
しかしながら、上述した従来のサーバ冷却水の配管機構を備えたサーバラックは、サーバ毎に多くの分配管や回収管を繋げて冷却水を循環させる構造であったため、一箇所でも漏水すればサーバにとって致命的な事故につながる危険性があり、大きなデータセンターでは何万個もの継ぎ手が使用されている場合もあり事故を起こす虞が大きかった。
【０００６】
そこで、本発明は、前述したような従来技術の問題を解決するものであって、すなわち、本発明の目的は、コンパクトな構成で効率良くサーバを冷却するとともに液体冷媒によるサーバの破損を安全に回避するサーバラックおよびサーバ冷却装置を提供することである。
【課題を解決するための手段】
【０００７】
本請求項１に係る発明は、サーバを載置する棚板と、該棚板を直接的または間接的に支持する複数の支柱と、該支柱間に橋設されて棚板端部と係合するビームとを備えてサーバを冷媒で冷却するサーバラックであって、前記棚板が、該棚板の延設方向に延びた棚板冷媒流路を内部に有し、前記冷媒としての液化ガスが、前記棚板、支柱およびビームのいずれかに配設された冷媒入口から流入されて前記棚板冷媒流路内を蒸発しながら送られて前記棚板、支柱およびビームのいずれかに配設された冷媒出口から排出されることにより、前述した課題を解決するものである。
【０００８】
本請求項２に係る発明は、請求項１に記載されたサーバラックの構成に加えて、前記冷媒が、液体炭酸ガスであることにより、前述した課題をさらに解決するものである。
【０００９】
本請求項３に係る発明は、請求項１または請求項２に記載されたサーバラックの構成に加えて、前記棚板の下面に配設された冷却フィンが、前記棚板と一体に形成されているとともに棚板長手方向に延設されていることにより、前述した課題をさらに解決するものである。
【００１０】
本請求項４に係る発明は、請求項１乃至請求項３のいずれか１つに記載されたサーバラックの構成に加えて、前記棚板が、前記支柱の延設方向に複数枚間隔を空けて配設され、前記棚板間に気流を発生させる気流発生ファンが、前記棚板間の上側棚板と係合するビームの下側または前記棚板間の上側棚板の下面における棚板長手方向端部に配設されていることにより、前述した課題をさらに解決するものである。
【００１１】
本請求項５に係る発明は、請求項１乃至請求項４のいずれか１つに記載されたサーバラックの構成に加えて、前記ビームが、前記棚板冷媒流路と連通するビーム冷媒流路を内部に有し、前記支柱が、前記ビーム冷媒流路と連通する支柱冷媒流路を内部に有し、前記冷媒出口の位置が、前記冷媒入口の位置よりも高く配設されていることにより、前述した課題をさらに解決するものである。
【００１２】
本請求項６に係る発明は、請求項１乃至請求項５のいずれか１つに記載されたサーバラックの構成に加えて、前記棚板の素材が、アルミニウムであり、前記棚板が、押出し加工で形成されていることにより、前述した課題をさらに解決するものである。
【００１３】
本請求項７に係る発明は、気体冷媒を圧縮する圧縮機と、該圧縮機で圧縮された気体冷媒から熱を放出させて気体冷媒を液化させる凝縮器と、該凝縮器で液化した液体冷媒を減圧するとともに流量制御する膨張弁と、該膨張弁で減圧・流量制御された液体冷媒に熱を吸収させて液体冷媒を気化させる蒸発器とを備えて冷媒でサーバを冷却するサーバ冷却装置であって、前記蒸発器が、請求項１乃至請求項６のいずれか１つに記載されたサーバラックであることにより、前述した課題を解決するものである。
【００１４】
本請求項８に係る発明は、気体冷媒を冷却して液化させるカスケードコンデンサと、該カスケードコンデンサで液化した液体冷媒を貯める受液器と、該受液器の液体冷媒を送り出すポンプと、該ポンプから送り出された液体冷媒を気化させる蒸発器とを備えて冷媒でサーバを冷却するサーバ冷却装置であって、前記蒸発器が、請求項１乃至請求項６のいずれか１つに記載されたサーバラックであることにより、前述した課題を解決するものである。
【００１５】
本請求項９に係る発明は、気体冷媒を冷却して液化させるエバポレーティブコンデンサと、該エバポレーティブコンデンサで液化した液体冷媒を貯める受液器と、該受液器の液体冷媒を送り出すポンプと、該ポンプから送り出された液体冷媒を気化させる蒸発器とを備えて冷媒でサーバを冷却するサーバ冷却装置であって、前記蒸発器が、請求項１乃至請求項６のいずれか１つに記載されたサーバラックであることにより、前述した課題を解決するものである。
【発明の効果】
【００１６】
本発明のサーバラックは、サーバを載置する棚板と、この棚板を直接的または間接的に支持する複数の支柱と、この支柱間に橋設されて棚板端部と係合するビームとを備えていることにより、サーバを冷媒で冷却することができるばかりでなく、以下のような特有の効果を奏することができる。
【００１７】
本請求項１に係る発明のサーバラックによれば、棚板が、この棚板の延設方向に延びた棚板冷媒流路を内部に有し、冷媒としての液化ガスが、棚板、支柱およびビームのいずれかに配設された冷媒入口から流入されて棚板冷媒流路内を蒸発しながら送られて棚板、支柱およびビームのいずれかに配設された冷媒出口から排出されることにより、サーバから棚板に直接熱が伝わり、万が一に冷媒としての液化ガスが漏洩した場合であっても大気圧では液化ガスが直ちに液体から気体になるため、コンパクトな構成で効率良くサーバを冷却するとともに液体冷媒によるサーバの破損を回避することができる。
さらに、液化ガスの少なくとも一部が気化して冷媒の体積が送り方向下流へ進むにしたがって大きくなり流速が速くなるため、冷媒の停滞や停滞箇所の発生を回避して効率良く冷却することができる。
【００１８】
本請求項２に係る発明のサーバラックによれば、請求項１に係る発明が奏する効果に加えて、冷媒が、液体炭酸ガスであることにより、万が一に冷媒としての液体炭酸ガスが漏洩した場合であっても大気圧では液体炭酸ガスが直ちに液体から一部気体になるとともに気化した気体で冷却されて液体から固体のドライアイスになってから気化して気体になるため、より確実に液体冷媒によるサーバの破損を回避することができる。
さらに、冷媒としての液体炭酸ガスはフロンやアンモニア等と比べて安全、かつ、安価であるため、オゾン層破壊防止や地球温暖化防止という地球環境を守るとともにコストを低減できる。
【００１９】
本請求項３に係る発明のサーバラックによれば、請求項１または請求項２に係る発明が奏する効果に加えて、棚板の下面に配設された冷却フィンが、棚板と一体に形成されているとともに棚板長手方向に延設されていることにより、棚板と空気との接触面積が大きくなるため、効率良くサーバ周辺の空気を冷却することができる。
さらに、冷却フィンの分だけ棚板の剛性が上がるため、その分棚板を薄くして軽量化することができる。
【００２０】
本請求項４に係る発明のサーバラックによれば、請求項１乃至請求項３のいずれか１つに係る発明が奏する効果に加えて、棚板が、支柱の延設方向に複数枚間隔を空けて配設され、棚板間に気流を発生させる気流発生ファンが、棚板間の上側棚板と係合するビームの下側または棚板間の上側棚板の下面における棚板長手方向端部に配設されていることにより、棚板間の下側棚板に載置されたサーバと上側棚板との間で気流が発生して上側棚板の下面で冷却された空気がサーバに接触するため、より効率良くサーバを冷却することができる。
【００２１】
本請求項５に係る発明のサーバラックによれば、請求項１乃至請求項４のいずれか１つに係る発明が奏する効果に加えて、ビームが、棚板冷媒流路と連通するビーム冷媒流路を内部に有し、支柱が、ビーム冷媒流路と連通する支柱冷媒流路を内部に有し、冷媒出口の位置が、冷媒入口の位置よりも高く配設されていることにより、気化した冷媒は液体のままの冷媒より単位体積辺りの重量が軽くて液体の冷媒より上方へ移動するため、気化した冷媒を積極的に冷媒出口から回収することができる。
【００２２】
本請求項６に係る発明のサーバラックによれば、請求項１乃至請求項５のいずれか１つに係る発明が奏する効果に加えて、棚板の素材が、アルミニウムであり、棚板が、押出し加工で形成されていることにより、アルミニウムは比較的放熱性に優れているため、効率良くサーバ自体およびサーバ周辺の空気を冷却することができる。
また、棚板冷媒流路が押出し加工方向に延設されるため、容易に複数の棚板冷媒流路を形成することができる。
【００２３】
本請求項７に係る発明のサーバ冷却装置によれば、気体冷媒を圧縮する圧縮機と、この圧縮機で圧縮された気体冷媒から熱を放出させて気体冷媒を液化させる凝縮器と、この凝縮器で液化した液体冷媒を減圧するとともに流量制御する膨張弁と、この膨張弁で減圧・流量制御された液体冷媒に熱を吸収させて液体冷媒を気化させる蒸発器とを備え、蒸発器が、請求項１乃至請求項６のいずれか１つに記載されたサーバラックであることにより、サーバ冷却装置において、請求項１乃至請求項６のいずれか１つに係る発明が奏する効果と同様の効果を得ることができる。
【００２４】
本請求項８に係る発明のサーバ冷却装置によれば、気体冷媒を冷却して液化させるカスケードコンデンサと、このカスケードコンデンサで液化した液体冷媒を貯める受液器と、この受液器の液体冷媒を送り出すポンプと、このポンプから送り出された液体冷媒を気化させる蒸発器とを備え、蒸発器が、請求項１乃至請求項６のいずれか１つに記載されたサーバラックであることにより、サーバ冷却装置において、請求項１乃至請求項６のいずれか１つに係る発明が奏する効果と同様の効果を得ることができる。
【００２５】
本請求項９に係る発明のサーバ冷却装置によれば、気体冷媒を冷却して液化させるエバポレーティブコンデンサと、このエバポレーティブコンデンサで液化した液体冷媒を貯める受液器と、この受液器の液体冷媒を送り出すポンプと、このポンプから送り出された液体冷媒を気化させる蒸発器とを備えて冷媒でサーバを冷却するサーバ冷却装置であって、蒸発器が、請求項１乃至請求項６のいずれか１つに記載されたサーバラックであることにより、サーバ冷却装置において、請求項１乃至請求項６のいずれか１つに係る発明が奏する効果と同様の効果を得ることができる。
【図面の簡単な説明】
【００２６】
【図１】本発明の第１実施例であるサーバラックの概略を示す斜視図。
【図２】図１に示す符号２で視た棚板の断面斜視図。
【図３】棚板とビームとの分解斜視図。
【図４】図１に示す符号４で視たサーバラックの概略側面図。
【図５】側壁パネルの取り付け位置を示す斜視図。
【図６】サーバ冷却装置全体を示す概念図。
【図７】炭酸ガスの温度・圧力特性を示す図。
【図８】サーバルームにおけるサーバラックの平面配置図。
【図９】従来のサーバルームにおけるサーバラックの平面配置図。
【図１０】本発明の第２実施例であるサーバ冷却装置全体を示す概念図。
【図１１】本発明の第３実施例であるサーバ冷却装置全体を示す概念図。
【発明を実施するための形態】
【００２７】
本発明のサーバラックは、棚板が、この棚板の延設方向に延びた棚板冷媒流路を内部に有し、冷媒としての液化ガスが、棚板、支柱およびビームのいずれかに配設された冷媒入口から流入されて棚板冷媒流路内を蒸発しながら送られて棚板、支柱およびビームのいずれかに配設された冷媒出口から排出されることにより、コンパクトな構成で効率良くサーバを冷却するとともに液体冷媒によるサーバの破損を回避するものであれば、その具体的な実施態様は、如何なるものであっても構わない。
【００２８】
例えば、液化ガスが棚板冷媒流路内を蒸発しながら送られてサーバの熱を吸収するものであれば、サーバラックの材質は如何なるものであっても構わない。
また、液化ガスが棚板冷媒流路内を蒸発しながら送られればよく、冷媒入口および冷媒出口の位置は、サーバラックの如何なる位置でもよい。
さらに、少なくとも棚板の内部に冷媒流路が配設されていればよく、支柱およびビームの内部に冷媒流路が配設されていなくてもよい。
また、サーバラックは、支柱が棚板を直接的に支持する構成でもよく、支柱がビームを介して間接的に支持する構成でもよい。
液化ガスは、サーバラックの棚板冷媒流路内を冷媒として蒸発しながら送られるものであれば、液体炭酸ガスやフロンなど如何なるものであってもよい。
【実施例１】
【００２９】
以下に、本発明の第１実施例であるサーバラック１００およびサーバ冷却装置ＳＣについて、図１乃至図９に基づいて説明する。
ここで、図１は、本発明の第１実施例であるサーバラック１００の概略を示す斜視図であり、図２は、図１に示す符号２で視た棚板１１０の断面斜視図であり、図３は、棚板１１０とビーム１３０との分解斜視図であり、図４は、図１に示す符号４で視たサーバラック１００の概略側面図であり、図５は、側壁パネル１５０の取り付け位置を示す斜視図であり、図６は、第１実施例のサーバ冷却装置ＳＣ全体を示す概念図であり、図７は、炭酸ガスＲＦの温度・圧力特性を示す図であり、図８は、サーバルームＲＭにおけるサーバラック１００の平面配置図であり、図９は、参考までに示す従来のサーバルームＲＭにおけるサーバラックの平面配置図である。
【００３０】
本発明の第１実施例であるサーバラック１００は、図１乃至図５に示すように、サーバＳＶを載置する棚板１１０と、この棚板１１０を間接的に支持する複数の支柱１２０と、この支柱間に橋設されて棚板端部１１１と係合する梁であるビーム１３０とを備えている。
一例として、サーバラック１００は、６枚の棚板１１０と、４本の支柱１２０と、１２本のビーム１３０とを備えている。
【００３１】
棚板１１０は、この棚板１１０の延設方向に延びた棚板冷媒流路１１２を内部に有している。
本発明では、冷媒である液化ガスの一例としての液体炭酸ガスＲＦが用いられる。
また、冷媒入口１３２が、棚板１１０、支柱１２０およびビーム１３０のいずれかとしてビーム１３０に配設されている。
より具体的には、冷媒入口１３２は、棚板長手方向一端側、かつ、最下段のビーム１３０Ａに配設されている。
なお、詳しくは後述するように、冷媒入口１３２には、圧縮機ＣＰ（ポンプ）などにより送り出された液体炭酸ガスＲＦが送り込まれるように構成されている（図６参照）。
また、棚板長手方向は、サーバＳＶの出し入れ方向でもある。
【００３２】
他方、冷媒出口１３３が、棚板１１０、支柱１２０およびビーム１３０のいずれかとしてビーム１３０に配設されている。
より具体的には、冷媒出口１３３は、棚板長手方向他端側、かつ、最上段のビーム１３０Ｂに配設されている。
なお、詳しくは後述するように、冷媒出口１３３から排出された気体炭酸ガス（ＲＦ）は、凝縮器ＣＤ（コンデンサ）により再び液化され液体炭酸ガスＲＦとなるように構成されている（図６参照）。
【００３３】
また、ビーム１３０は、棚板冷媒流路１１２と連通するビーム冷媒流路１３１を内部に有している。
同様に、支柱１２０は、ビーム冷媒流路１３１と連通する支柱冷媒流路１２１を内部に有している。
そして、液体炭酸ガスＲＦが、冷媒入口１３２から流入されて棚板冷媒流路１１２内を蒸発しながら送られて冷媒出口１３３から排出されるように構成されている。
【００３４】
これにより、万が一に冷媒としての液体炭酸ガスＲＦが漏洩した場合であっても大気圧では液体炭酸ガスＲＦが直ちに液体から一部気体になる（図７参照）とともに気化した気体で冷却されて液体から固体のドライアイスになってから気化して気体になる。
つまり、液体冷媒（ＲＦ）によるサーバＳＶの破損が回避される。
さらに、液体炭酸ガスＲＦの少なくとも一部が気化して冷媒の体積が送り方向下流へ進むにしたがって大きくなり流速が速くなる。
つまり、冷媒の停滞や停滞箇所の発生が回避される。
また、冷媒としての液体炭酸ガスＲＦはフロンやアンモニア等と比べて安全、かつ、安価である。
【００３５】
なお、棚板１１０の上面は、真っ平らに形成され、棚板１１０の上面に載置されたサーバＳＶの筐体と面接触する。
言い換えると、棚板１１０は、サーバＳＶと隙間なく面接触する。
そのため、熱交換が効率良く行われる。
また、サーバＳＶとの隙間をなくすために、棚板１１０の上面に薄いゴムシートを配設してもよいのは言うまでもない。
【００３６】
本実施例では、冷却フィン１１３が、棚板１１０の下面に配設されている。
さらに、冷却フィン１１３は、棚板１１０と一体に形成されているとともに棚板長手方向に延設されている。
これにより、棚板１１０と空気との接触面積が大きくなる。
つまり、冷却フィン１１３の近傍であるサーバ周辺の空気が効率良く冷却される。
さらに、冷却フィン１１３の分だけ棚板１１０の剛性が上がる。
【００３７】
本実施例では、６枚の棚板１１０が、支柱１２０の延設方向である上下方向に間隔を空けて配設されている。
さらに、棚板間に気流を発生させる気流発生ファン１４０が、ビーム１３０の下側に配設されている。
これにより、棚板間の下側棚板１１０Ａに載置されたサーバＳＶと上側棚板１１０Ｂとの間で気流が発生して上側棚板１１０Ｂの下面で冷却された空気がサーバＳＶに接触する。
つまり、より効率良くサーバＳＶを冷却することができる。
【００３８】
なお、気流発生ファン１４０を、棚板間の上側棚板１１０Ｂの下面における棚板長手方向端部である棚板端部１１１に配設してもよい。
また、気流発生ファン１４０については、例えば、交流電流・直流電流・交流電流変換して周波数や電圧を変える所謂、インバータなどで気流発生ファン１４０のモータ回転数を制御することにより、サーバルームの温度を正確に管理することができる。
例えば、サーバルームの温度を所定の温度として摂氏２７度以下に保つことができる。
【００３９】
また、本実施例では、気流発生ファン１４０が、棚板間の空気を引っ張ってサーバラック１００の外側へ排出するように構成されている。
これにより、棚板間の空気が略均一に流れるため、気流の向きが逆の場合と比べて、冷却効率を上げることができる。
さらに、本実施例では、気流発生ファン１４０が、棚板長手方向において、冷媒入口１３２側から冷媒出口１３３側へ向かって空気を引っ張るように構成されている。
【００４０】
これにより、棚板長手方向における冷媒入口１３２側において、サーバラック１００の内側より温かい温度の空気がサーバラック１００の外側からサーバラック１００の内側に入り込み、冷媒入口１３２から入ったばかりの液体炭酸ガスＲＦが気化しやすくなるため、冷却効率をより上げることができる。
また、図５に示すように、棚板長手方向に対する幅方向（短手方向）両側に側壁パネル１５０を取り付けると、棚板間の空気の流れがより均一になり、冷却効率がさらに上がる。
【００４１】
本実施例では、上述したように、冷媒出口１３３の位置が、冷媒入口１３２の位置よりも高く配設されている。
ここで、気化した冷媒は液体のままの冷媒より単位体積辺りの重量が軽くて液体の冷媒（ＲＦ）より上方へ移動する。
これにより、気化した冷媒が、必ず冷媒出口１３３から排出されて回収される。
【００４２】
本実施例では、棚板１１０の素材が、一例としてアルミニウムである。
そして、アルミニウムの棚板１１０が、押出し加工で形成されている。
ここで、アルミニウムは比較的放熱性に優れている。
これにより、サーバＳＶ自体およびサーバ周辺の空気が効率良く冷却される。
また、棚板冷媒流路１１２が押出し加工方向に延設される。
つまり、複数の棚板冷媒流路１１２が容易に形成される。
【００４３】
図６に示すように、サーバ冷却装置ＳＣは、圧縮機ＣＰ（Ｃｏｍｐｒｅｓｓｏｒ）と、凝縮器ＣＤ（Ｃｏｎｄｅｎｓｅｒ）と、膨張弁ＥＸ（Ｅｘｐａｎｓｉｏｎ  ｖａｌｖｅ）と、蒸発器ＥＶ（Ｅｖａｐｏｒａｔｏｒ）とを備えている。
そして、図７に示す炭酸ガス冷媒でサーバＳＶを冷却するように構成されている。
圧縮機ＣＰは、気体冷媒（気体炭酸ガス）を圧縮するように構成されている。
【００４４】
また、凝縮器ＣＤは、圧縮機ＣＰで圧縮された気体冷媒から熱を放出させて気体冷媒を液化させるように構成されている。
さらに、膨張弁ＥＸは、凝縮器ＣＤで液化した液体冷媒（液体炭酸ガスＲＦ）を減圧するとともに流量制御するように構成されている。
また、蒸発器ＥＶは、膨張弁ＥＸで減圧・流量制御された液体冷媒（液体炭酸ガスＲＦ）に熱を吸収させて液体冷媒（液体炭酸ガスＲＦ）を気化させるように構成されている。
そして、蒸発器ＥＶは、上述したサーバラック１００である。
【００４５】
なお、上述したサーバラック１００およびサーバ冷却装置ＳＣを、サーバＳＶを冷却する目的以外に、鮮魚などを冷却・冷凍する目的で鮮魚用冷凍ラックおよび鮮魚冷凍装置として使用してもよい。
【００４６】
また、本実施例のサーバラック１００を用いることにより、各サーバＳＶが殆どバラツキなく冷却されるため、図８に示すように、サーバルームＲＭにおけるサーバラック１００の配置を自由に設定することができる。
言い換えると、図９に示す従来のサーバラック５００の配置にようにサーバラック５００同士を接続して配置する必要がなく、図８に示すように、サーバラック１００同士を離間させて配置してもよい。
さらに、サーバＳＶの大きさに合わせてサーバラック１００の大きさを自由に設定することもできる。
【００４７】
また、図９の従来配置図に示すホットアイルＨＩ、コールドアイルＣＩの概念を無くすことができる。
ここで、ホットアイルＨＩとは、サーバラック５００の列や壁板５０１で区切られたサーバルームＲＭ内の空間のうち、サーバＳＶの排熱だけを集めた空間をいう。
また、コールドアイルＣＩとは、空調機が送り出してサーバＳＶが吸引する冷気を集めた空間をいう。
【００４８】
このようにして得られた本発明の第１実施例であるサーバラック１００は、棚板１１０が、この棚板１１０の延設方向に延びた棚板冷媒流路１１２を内部に有し、冷媒としての液体炭酸ガスＲＦが、棚板１１０、支柱１２０およびビーム１３０のいずれかに配設された冷媒入口１３２から流入されて棚板冷媒流路１１２内を蒸発しながら送られて棚板１１０、支柱１２０およびビーム１３０のいずれかに配設された冷媒出口１３３から排出されることにより、コンパクトな構成で効率良くサーバＳＶを冷却するとともに万が一に冷媒としての液体炭酸ガスＲＦが漏洩した場合であっても液体冷媒（液体炭酸ガスＲＦ）によるサーバＳＶの破損を回避し、冷媒の停滞や停滞箇所の発生を回避して効率良く冷却し、オゾン層破壊防止や地球温暖化防止という地球環境を守るとともにコストを低減できる。
【００４９】
さらに、棚板１１０の下面に配設された冷却フィン１１３が、棚板１１０と一体に形成されているとともに棚板長手方向に延設されていることにより、効率良くサーバ周辺の空気を冷却するとともに、冷却フィン１１３の剛性分棚板１１０を薄くして軽量化することができる。
【００５０】
また、棚板１１０が、支柱１２０の延設方向に複数枚間隔を空けて配設され、棚板間に気流を発生させる気流発生ファン１４０が、棚板間の上側棚板１１０Ｂと係合するビーム１３０Ｃの下側または棚板間の上側棚板１１０Ｂの下面における棚板長手方向端部（１１１）に配設されていることにより、より効率良くサーバＳＶを冷却することができる。
【００５１】
さらに、ビーム１３０が、棚板冷媒流路１１２と連通するビーム冷媒流路１３１を内部に有し、支柱１２０が、ビーム冷媒流路１３１と連通する支柱冷媒流路１２１を内部に有し、冷媒出口１３３の位置が、冷媒入口１３２の位置よりも高く配設されていることにより、気化した冷媒を積極的に冷媒出口１３３から回収することができる。
【００５２】
また、棚板１１０の素材が、アルミニウムであり、棚板１１０が、押出し加工で形成されていることにより、容易に複数の棚板冷媒流路１１２を形成し、効率良くサーバＳＶ自体およびサーバ周辺の空気を冷却することができる。
【００５３】
本発明の第１実施例であるサーバ冷却装置ＳＣは、気体冷媒（気体炭酸ガス）を圧縮する圧縮機ＣＰと、この圧縮機ＣＰで圧縮された気体冷媒から熱を放出させて気体冷媒を液化させる凝縮器ＣＤと、この凝縮器ＣＤで液化した液体冷媒（液体炭酸ガスＲＦ）を減圧するとともに流量制御する膨張弁ＥＸと、この膨張弁ＥＸで減圧・流量制御された液体冷媒に熱を吸収させて液体冷媒を気化させる蒸発器ＥＶとを備え、蒸発器ＥＶが、上述したサーバラック１００であることにより、万が一に冷媒としての液体炭酸ガスＲＦが漏洩した場合であっても液体冷媒によるサーバＳＶの破損を回避することができるなど、その効果は甚大である。
【実施例２】
【００５４】
本発明の第２実施例であるサーバ冷却装置ＳＣについて、図１０に基づいて説明する。
ここで、図１０は、本発明の第２実施例であるサーバ冷却装置ＳＣ全体を示す概念図である。
第２実施例のサーバ冷却装置ＳＣは、第１実施例のサーバ冷却装置ＳＣの熱交換器を変更したものであり、多くの要素について第１実施例のサーバ冷却装置ＳＣと共通するので、共通する事項については詳しい説明を省略する。
【００５５】
図１０に示すように、サーバ冷却装置ＳＣは、カスケードコンデンサＣＣと、低圧受液器ＬＬＲと、圧縮機ＣＰと、エバポレーティブコンデンサＥＣと、高圧受液器ＨＬＲと、膨張弁ＥＸと、ポンプＰＰ１と、ポンプＰＰ２と、炭酸ガス受液器ＧＬＲと、蒸発器ＥＶとを備えている。
ここで、カスケードコンデンサＣＣは、気体冷媒を冷却して液化させるように構成されている。
また、ポンプＰＰ１は、低圧受液器ＬＬＲの液体冷媒をカスケードコンデンサＣＣへ送り出すように設置されている。
ポンプＰＰ２は、炭酸ガス受液器ＧＬＲの液体冷媒（液体炭酸ガスＲＦ）を蒸発器へ送り出すように設置されている。
そして、蒸発器ＥＶは、上述したサーバラック１００である。
【００５６】
本発明の第２実施例であるサーバ冷却装置ＳＣは、気体冷媒（気体炭酸ガス）を冷却して液化させるカスケードコンデンサＣＣと、このカスケードコンデンサＣＣで液化した液体冷媒（液体炭酸ガスＲＦ）を貯める受液器としての炭酸ガス受液器ＧＬＲと、この炭酸ガス受液器ＧＬＲの液体冷媒（液体炭酸ガスＲＦ）を送り出すポンプＰＰ２と、このポンプＰＰ２から送り出された液体冷媒（液体炭酸ガスＲＦ）を気化させる蒸発器ＥＶとを備え、蒸発器ＥＶが、上述したサーバラック１００であることにより、万が一に冷媒としての液体炭酸ガスＲＦが漏洩した場合であっても液体冷媒によるサーバＳＶの破損を回避することができるなど、その効果は甚大である。
【実施例３】
【００５７】
本発明の第３実施例であるサーバ冷却装置ＳＣについて、図１１に基づいて説明する。
ここで、図１１は、本発明の第３実施例であるサーバ冷却装置ＳＣ全体を示す概念図である。
第３実施例のサーバ冷却装置ＳＣは、第１実施例のサーバ冷却装置ＳＣの熱交換器を変更したものであり、多くの要素について第１実施例のサーバ冷却装置ＳＣと共通するので、共通する事項については詳しい説明を省略する。
【００５８】
図１１に示すように、サーバ冷却装置ＳＣは、エバポレーティブコンデンサＥＣと、炭酸ガス受液器ＧＬＲと、ポンプＰＰと、蒸発器ＥＶとを備えている。
ここで、エバポレーティブコンデンサＥＣは、気体冷媒を冷却して液化させるように構成されている。
ポンプＰＰは、炭酸ガス受液器ＧＬＲの液体冷媒（液体炭酸ガスＲＦ）を蒸発器へ送り出すように設置されている。
そして、蒸発器ＥＶは、上述したサーバラック１００である。
【００５９】
本発明の第３実施例であるサーバ冷却装置ＳＣは、気体冷媒（気体炭酸ガス）を冷却して液化させるエバポレーティブコンデンサＥＣと、このエバポレーティブコンデンサＥＣで液化した液体冷媒（液体炭酸ガスＲＦ）を貯める受液器としての炭酸ガス受液器ＧＬＲと、この炭酸ガス受液器ＧＬＲの液体冷媒（液体炭酸ガスＲＦ）を送り出すポンプＰＰと、このポンプＰＰから送り出された液体冷媒（液体炭酸ガスＲＦ）を気化させる蒸発器ＥＶとを備え、蒸発器ＥＶが、上述したサーバラック１００であることにより、万が一に冷媒としての液体炭酸ガスＲＦが漏洩した場合であっても液体冷媒によるサーバＳＶの破損を回避することができるなど、その効果は甚大である。
【符号の説明】
【００６０】
１００  ・・・  サーバラック（蒸発器）
１１０  ・・・  棚板
１１０Ａ・・・  下側棚板
１１０Ｂ・・・  上側棚板
１１１  ・・・  棚板端部
１１２  ・・・  棚板冷媒流路
１１３  ・・・  冷却フィン
１２０  ・・・  支柱
１２１  ・・・  支柱冷媒流路
１３０  ・・・  ビーム
１３０Ａ・・・  棚板長手方向一端側、かつ、最下段のビーム
１３０Ｂ・・・  棚板長手方向他端側、かつ、最上段のビーム
１３０Ｃ・・・  上側棚板と係合するビーム
１３１  ・・・  ビーム冷媒流路
１３２  ・・・  冷媒入口
１３３  ・・・  冷媒出口
１４０  ・・・  気流発生ファン
１５０  ・・・  側壁パネル
ＣＤ    ・・・  凝縮器
ＣＰ    ・・・  圧縮機
ＥＶ    ・・・  蒸発器
ＥＸ    ・・・  膨張弁
ＲＦ    ・・・  液体炭酸ガス、気体炭酸ガス（冷媒）
ＳＣ    ・・・  サーバ冷却装置
ＳＶ    ・・・  サーバ
ＣＣ    ・・・  カスケードコンデンサ
ＧＬＲ  ・・・  炭酸ガス受液器
ＬＬＲ  ・・・  低圧受液器
ＥＣ    ・・・  エバポレーティブコンデンサ
ＨＬＲ  ・・・  高圧受液器
ＰＰ    ・・・  ポンプ
【図１】
2016122744.tif 000003
【図２】
2016122744.tif 000004
【図３】
2016122744.tif 000005
【図４】
2016122744.tif 000006
【図５】
2016122744.tif 000007
【図６】
2016122744.tif 000008
【図７】
2016122744.tif 000009
【図８】
2016122744.tif 000010
【図９】
2016122744.tif 000011
【図１０】
2016122744.tif 000012
【図１１】
2016122744.tif 000013